(57)【要約】      （修正有）【課題】金属製ものと比較して軽量であって、使い易く、確実に保持可能でコストダウンに寄与する表示用紙のホルダを提供する。【解決手段】開口１１ｄの正面側を覆う透明窓カバー２を有するフレーム１と、この透明窓カバー２内に収納する表示用紙Ｐの背面を押える透明裏当て板３と、フレームの背面側に取り付けてあって、かつフレームの四隅にそれぞれ配置されている各保持片４と、フレームの背面側に取り付けてあって、かつ互いに対向する方向に突出している対の保持補強突片５Ａとを備え、透明窓カバーを通じて表示用紙Ｐの表示情報を見透かし可能であり、透明窓カバー２と透明裏当て板３とで表示用紙Ｐを挟持可能であり、各保持片４により透明裏当て板の外周部の四隅を、保持補強突片５Ａにより透明裏当て板の外周部の両側を支える。【選択図】図１
0003201973.tif 000002
【実用新案登録請求の範囲】
【請求項１】
内部に表示用紙を収納可能であるフレームと、このフレームの正面側に取り付けてある合成樹脂製の透明窓カバーと、上記フレーム内部に収納可能であり、上記フレーム外に取り出すことができる合成樹脂製の透明裏当て板と、上記フレームの背面側に取り付けてあって、かつフレーム四隅にそれぞれ配置されている合成樹脂製の各保持片と、上記フレームの背面側に取り付けてあって、かつ互いに対向する方向に突出している合成樹脂製の対の保持補強突片とを備えており、
上記透明裏当て板は、上記表示用紙を背面から被覆可能であり、上記透明窓カバーとの間で挟持することができるものであり、
上記各保持片は、上記表示用紙を上記透明窓カバーとの間で挟持している上記透明裏当て板の背面を保持可能であり、
対向する保持補強突片は上記フレームの四辺のうち少なくとも対向する二辺に配置されていると共に、上記透明裏当て板の背面を上記透明窓カバー方向に押えて上記各保持片の保持を補強するものであり、
上記フレーム、透明窓カバー、透明裏当て板、保持片及び保持補強突片はいずれもプラスチック部材を素材とし、かつ可撓性を備えている
ことを特徴とする表示用紙のホルダ。
【請求項２】
対の保持補強突片はフレームの対向する各二辺に取り付けてあることを特徴とする請求項１記載の表示用紙のホルダ。
【請求項３】
各保持片及び対の保持補強突片はそれぞれ透明であることを特徴とする請求項１又は請求項２記載の表示用紙のホルダ。
【請求項４】
フレームは対のフレーム体を対向方向に重ね合わせて形成されており、一方の正面側のフレーム体の対向面側に保持片を、他方の背面側のフレーム体の対向面側に対の保持補強突片をそれぞれ縫着してあることを特徴とする請求項１乃至請求項３のいずれかに記載の表示用紙のホルダ。
【考案の詳細な説明】
【技術分野】
【０００１】
この考案は、映画館、博覧会などに展示されているポスター、飲食店などで用いられているメニューなど表示用紙のホルダに関するものである。
【背景技術】
【０００２】
表示用紙であるポスターのホルダとして、その本体をアルミニウム製の長方形状のフレームで構成し、このフレームの開口を覆う透明シートを固定し、この透明シートの背面にポスターを当て、このポスターの背部から回転する複数の止め具で押える構造を開示されている実開平４−５３２８８号公報に記載の組立式選挙ポスター掲示板から容易に類推することができる。また、他のホルダとして、特開平１０−２８６１５５号公報に記載の写真等の展示ホルダーでは、少なくとも一枚が透明である二枚のシートを重ね、一辺または対向する二辺または三辺を固着し、両シート間に展示物を挟み込むものが提案されている。
【先行技術文献】
【特許文献】
【０００３】
【特許文献１】実開平４−５３２８８号公報
【特許文献２】特開平１０−２８６１５５号公報
【考案の概要】
【考案が解決しようとする課題】
【０００４】
前者の従来例によると、フレームがアルミニウム製であるためにポスターが大型のものにあっては有益であるが、重量があって扱いにくく、高コストになる傾向にあり、展示中にポスターがずれたり、最悪の場合には上記フレームから脱落する課題がある。
後者の従来例によると、二枚のシートで展示物を挟み込む構造であるから脱落する課題は解消されているが、上記展示物を確実に固定して展示するには更なる改善が必要である。
この考案の目的は、金属製ものと比較して軽量であって、使い易く、確実に保持可能でコストダウンに寄与する表示用紙のホルダを提供することにある。
【課題を解決するための手段】
【０００５】
この考案に係る表示用紙のホルダは、表示用紙を収納可能であるフレームと、このフレームの正面側に取り付けてある透明窓カバーと、フレーム外に取り出し可能であって透明窓カバーの背面に重ねる透明裏当て板と、フレームの背面側の四隅に取り付けられ、透明裏当て板の背面外周部を保持する各保持片と、フレームの背面側に取り付けられると共に、かつ互いに対向する方向に突出しかつ透明裏当て板の背面側の両側辺部の保持を補強する対の保持補強突片とを備えており、フレーム、透明窓カバー、透明裏当て板、各保持片及び保持補強突片はいずれもプラスチック部材を素材とし、かつ可撓性を備えているため湾曲可能である。
【考案の効果】
【０００６】
この考案の表示用紙のホルダによれば、フレームにより本体を形成し、表示用紙を四隅の保持片で保持し、かつ保持補強突片でも保持すると共に上記表示用紙のずれなどを抑制可能とするので、使い易く、確実に保持可能であって、コストダウンに寄与することができる。
この考案の表示用紙のホルダによれば、透明裏当て板で上記表示用紙を背後から支えるものであることから、表示用紙の裏面にある情報を背後から見透かすことができるから便利性が増し、表示用紙の利用範囲を拡大することができる。
この考案の表示用紙のホルダによれば、フレーム、透明窓カバー、透明裏当て板、各保持片及び保持補強突片はいずれも合成樹脂部材を素材とし、可撓性を備えているので壁や柱などホルダ取付け対象の範囲を拡大することができる。
【図面の簡単な説明】
【０００７】
【図１】この考案に係る表示用紙のホルダを示す一部切欠背面図であって、表示用紙を収納している図である。
【図２】この考案に係る表示用紙のホルダを示す一部切欠正面図であって、表示用紙を収納している図である。
【図３】この考案に係る表示用紙のホルダの主要部を分解して示す側面断面図である。
【図４】図１のＩＶ−ＩＶ線に沿う断面図であって、部分的な拡大図は表示用紙のホルダにおけるフレーム、透明裏当て板、保持片及び保持補強突片の相互関係を示す図である。
【図５】図１のＶ−Ｖ線に沿う拡大断面図であり、吸盤を省略している図である。
【図６】図１のＶＩ−ＶＩ線に沿う拡大断面図であり、中間部分及び吸盤を省略している図である。
【図７】この考案に係る表示用紙のホルダを丸柱に取り付けている状態を示す斜視図である。
【図８】この考案に係る表示用紙のホルダの他の実施形態を示す一部切欠背面図である。
【考案を実施するための形態】
【０００８】
この考案に係る表示用紙のホルダについて図面を参照して説明する。
図１〜図３において、この考案の一実施形態を示す表示用紙のホルダＨ１は、フレーム１と、このフレーム内に配置してある合成樹脂製の透明窓カバー２と、この透明窓カバーの背部に配置してある合成樹脂製の透明裏当て板３と、上記フレームに取り付けてあって、上記透明裏当て板の背面側を支える保持片４及び保持補強突片５Ａとを備えている。
【０００９】
図１〜図４において、フレーム１は合成樹脂部材を素材として四角形に成形されていると共に可撓性を有しており、例えば円弧状などの形状に曲げることができる。フレーム１はその内部に表示用紙Ｐを収納可能である。フレーム１は表示用紙のホルダＨ１の本体を構成している。フレーム１は、図示の例によれば、対の口状のフレーム体１１ａ，１１ｂを２枚重ねにし、双方の外周側縁に沿って縫い込んだ縫い糸１１ｃで結合され、内部が開口１１ｄとなっている。そして、フレーム体１１ａ，１１ｂの対向面（合わせ面）間を接着剤で固定して両者の一体化を補強している。フレーム体１１ａ，１１ｂはいずれも紙製芯材をＵ字形に折り曲げた合成皮革製の被覆カバーで覆って形成されているが、この各フレーム体の構造はこの例に限定されない。
【００１０】
図１〜図４において、透明窓カバー２はプラスチック部材からなる薄い透明な板材からなり、フレーム１に取り付けられている。透明窓カバー２は、フレーム１の開口１１ｄの正面側（前側）を覆っており、その背面に位置する表示用紙Ｐに表示されている表示情報を見透かすことができる。透明窓カバー２の外周部は、フレーム体１１ａの背面に縫い糸１１ｃにより固着され、この透明窓カバーとフレーム１とが一体的に組み立てられている。
【００１１】
図１〜図４において、合成樹脂製の透明裏当て板３は、上記フレーム１内部に収納可能であり、上記フレーム外に取り出すことができる。透明裏当て板３はプラスチック部材からなる四角形状の透明板であって、上記透明窓カバー２と同様にその厚みを薄く形成して、可撓性を有している。
透明裏当て板３は上記表示用紙Ｐを背面から重ねた状態でこの背面を被覆可能であり、かつ上記透明窓カバー２との間で表示用紙を挟持することができる。
【００１２】
図１〜図６において、合成樹脂製の保持片４は上記フレーム１の背面側に取り付けてあって、このフレームの四隅にそれぞれ配置されている。各保持片４はプラスチック部材からなる三角形状の透明板であって、上記透明窓カバー２と同様にその厚みを薄く形成して、可撓性を持たせている。各保持片４は、図示の例によれば、その傾斜片は開口１１ｄ側に配置され、そして直交する二辺はフレーム１側に配置されていると共に、これら二辺の外周部がフレームを覆う被覆カバーの内面側に配置され固定されている。そして、各保持片４は、フレーム体１１ｂの背面（前面）に縫い糸１１ｃにより固着され、フレーム１と一体的に組み立てられている。
【００１３】
図１〜図６において、合成樹脂製の保持補強突片５Ａは上記フレーム１の背面側に取り付けてあって、このフレームの四辺のうち対向する二辺（図１の例では図左右の二辺）に配置されている。各保持補強突片５Ａはいずれもプラスチック部材からなる四角形状の対の透明板であって、上記透明窓カバー２と同様にその厚みを薄く形成して、可撓性を持たせている。対の保持補強突片５Ａは、図示の例によれば、保持片４と同様に、両保持補強突片の対向側とは反対側の半分がフレーム１を覆う被覆カバーの内面側に配置され固定されている。そして、各保持補強突片５Ａは、保持片４と同様に、フレーム体１１ｂの背面（前面）に縫い糸１１ｃにより固着され、フレーム１と一体的に組み立てられている。
【００１４】
フレーム１（フレーム体１１ａ，１１ｂ）、透明窓カバー２、透明裏当て板３並びに保持片４及び保持補強突片５Ａの各関係について、図４〜図６を参照して説明する。
フレーム１に関して、透明窓カバー２はフレーム１の正面側（前側）のフレーム体１１ａと一体的に結合され、透明窓カバー付きフレーム体を構成している。そして、保持片４及び保持補強突片５Ａはフレーム１の背面側（後側）のフレーム体１１ｂとそれぞれ一体的に結合され、保持片及び保持補強突片付きのフレーム体を構成している。保持片４及び保持補強突片５Ａは間隙を置いて透明窓カバー２にそれぞれ向き合っている。
透明裏当て板３については、フレーム体１１ｂの背面側から開口１１ｄを通じてフレーム１内に収納可能であり、透明窓カバー２の背面に収納される表示用紙Ｐをその背面から覆うことができる。透明裏当て板３は、透明窓カバー２を被覆した状態で透明窓カバー２との間で挟持可能である。また、透明裏当て板３の外周辺部の四隅は、透明窓カバー２の背面と各保持片４との間隙内に差し込むことが可能である。透明裏当て板３の差し込みにより、透明裏当て板はその背面を各保持片４によって透明窓カバー２側に押えられてその位置保持が図られる。各保持片４の撓みに伴う弾性力により、高い位置保持効果が得られる。
また、透明裏当て板３の上記差し込み時に、透明裏当て板の両側辺部が対向する対の保持補強突片５Ａを乗り越えてこれら保持補強突片と表示用紙Ｐとの間隙に差し込まれ、保持補強突片が上記透明裏当て板の背面を透明窓カバー２方向に押えて上記各保持片４の保持力を補強する。
【００１５】
図１〜図２に示すフレーム１は、四隅の背面側に必要に応じて着脱するフレーム支持手段である吸盤６を備えている。吸盤６は、正面側に突出している装着突部をフレーム１の四隅の角部に開けてある取付け孔１１ｅ内へ圧入することにより、フレームに取り付けられている。各吸盤６をホルダ取付け対象となる例えばドアのガラス窓に吸着させることにより、表示用紙のホルダＨ１をドアに展示することができる。
【００１６】
次に、この考案に係る表示用紙のホルダＨ１の使用方法について説明する。
まず、表示用紙Ｐをフレーム１の背面側から開口１１ｄを通じてフレーム内に入れ、透明窓カバー２の背面に重ねながら収納する。その際、表示用紙Ｐの外周辺部を透明窓カバー２と保持片４及び保持補強突片５Ａとの間隙に差し入れて、位置を設定する（図４及び図６参照）。ついで、透明裏当て板３をフレーム１の背面側から開口１１ｄを通じてフレーム内に入れ、表示用紙Ｐの背面に重ねて表示用紙を固定しながら収納する。収納の際、図５及び図６に示すように、透明裏当て板３の外周辺部を透明窓カバー２と保持片４及び保持補強突片５Ａとの間隙に差し入れる。すると、透明裏当て板３の四隅の外周辺部は透明窓カバー２と保持片４とにより挟持され、その位置が固定される。そして、透明裏当て板３の左右の二辺中間部分の外周辺部は透明窓カバー２と保持補強突片５Ａとにより挟持される。保持補強突片５Ａによる透明裏当て板３の保持が、保持片４による四隅の外周辺部とは別の外周側辺部で行われるので保持が補強され、透明裏当て板及び表示用紙Ｐのフレーム１への保持状態が安定する。
【００１７】
図１に示す表示用紙のホルダＨ１は下記のような作用効果を有する。すなわち、表示用紙Ｐの背面を透明裏当て板３で押え、透明裏当て板の背面側を保持片４で支え、表示用紙を透明窓カバー２と透明裏当て板の間で挟持可能としているので、表示用紙及び透明裏当て板を確実に保持することができる。
そして、フレーム１を対のフレーム体１１ａ，１１ｂで形成し、縫い糸１１ｃで一体結合すると共に、縫い糸で透明窓カバー２並びに保持片４及び保持補強突片５Ａをフレームに縫着しているので部品点数を少なくしている。
図１の上下で対向位置関係にある両保持片４の間に配置されている両側の保持補強突片５Ａでも透明裏当て板３を支えるので、表示用紙Ｐ及び透明裏当て板の位置保持を補強することができる。
さらに、透明裏当て板３は透明であるから、表示用紙のホルダＨ１における表示用紙Ｐの表面の他に裏面にも情報が表示されている場合には、この裏面の情報を読み取ることができる。つまり、透明裏当て板３により表示用紙Ｐの表裏双方の面を表示面として利用することができ、表示面を増やすことが可能となる。
また、透明裏当て板３並びに保持片４及び保持補強突片５Ａにおいて、これらはいずれもプラスチック部材からなるから、保持片及び保持補強突片については上記透明裏当て板を背後側から当接状態で保持しており、かつ上記透明裏当て板の外周を保持片及び保持補強突片の各内側に差し入れる過程で静電気が発生する可能性がある。このため、透明裏当て板３と保持片４及び保持補強突片５Ａとの密着関係が強くなると共に上記透明裏当て板と表示用紙Ｐとの間にある空気が抜けて、表示用紙に対する透明裏当て板による当接状態が強化される可能性がある。この結果、透明裏当て板３並びに保持片４及び保持補強突片５Ａがいずれも同質部材である合成樹脂部材を用いることによる表示用紙Ｐの保持強化が図られ、表示用紙の位置ずれや脱落の抑制効果が向上する。
フレーム１、透明窓カバー２、透明裏当て板３、保持片４及び保持補強突片５Ａはいずれもプラスチック部材を素材としており、かつ可撓性を備えている。このため、表示用紙のホルダＨ１はその軽量化が可能となり、そして全体の形状をフラット状に限られず、円弧状や半円形状など曲面に変形するなどしてホルダ取付け対象に応じた形状にすることができる。この結果、表示用紙のホルダＨ１を取り付けるためのホルダ取付け対象の範囲が拡大することになる。例えば映画館、スポーツセンター、大型ストアのフードコート及び劇場などの室内外に立てられている大柱をホルダ取付け対象とする場合であって、上記大柱が図７に示すような丸柱Ｓである場合には、予め、フレーム１の取付け孔１１ｅから各吸盤６（図１参照）を外し、これらの吸盤に代えてフレーム支持手段である複数のバンド７の先端部をフレーム１の四隅に各取付け孔１１ｅを介して連結しておく。そして、表示用紙のホルダＨ１全体を円弧状に曲げてから、フレーム１に連結している各バンド７を丸柱Ｓに巻き付ければ表示用紙のホルダＨ１を丸柱に取り付けることができる。このように、表示用紙のホルダＨ１は、そのホルダ取付け対象の取付け面が壁面のように平坦面に限られず、曲面であっても、取り付けることができる。
【００１８】
この考案の他の実施形態を示す表示用紙のホルダについて、図８を参照して説明する。
図８に示す表示用紙のホルダＨ２の構成は、図１に示す表示用紙のホルダＨ１のそれと、左右の保持補強突片５Ａとは別に上下に保持補強突片５Ｂを設けている点を除いて同一であるので、表示用紙のホルダＨ１に用いた符号を表示用紙のホルダＨ２にもそのまま使用して対応関係を明確にして、詳細な説明を省略している。
表示用紙のホルダＨ２において、フレーム１の背面側に対の保持補強突片５Ｂは上下に対向的に配置されている。各保持補強突片５Ｂの取付け状態は保持補強突片５Ａと同様であり、横長長方形状の上下半部分をフレーム１の被覆カバーの内面側に差し入れて、縫い糸１１ｃでフレームに取り付けられている。表示用紙のホルダＨ２は、４点ですなわち、上下に保持補強突片５Ｂと左右の保持補強突片５Ａとにより、透明裏当て板３を背後から支え、透明裏当て板及び表示用紙Ｐをより安定して保持する構成である。表示用紙のホルダＨ２においては、大型のフレーム１で大きな透明裏当て板３及び表示用紙Ｐを支持するのに有効である。
【００１９】
図８に示す表示用紙のホルダＨ２は、上記表示用紙のホルダＨ１が有する作用効果を備えている他に、保持補強突片５Ａ，５Ｂによる４点保持であるのでより安定的な保持が可能であり、大型のホルダに有効である。そして、保持片４及び保持補強突片５Ａ，５Ｂはそれぞれ透明であるので、これらの存在にかかわらず、表示用紙Ｐの裏面における情報が明確に表示される。
【００２０】
表示用紙Ｐは映画や展示会などのポスターに限られず、表示用紙には飲食店に用いられるメニューなども含まれ、このメニューとして用いる場合は表示用紙のホルダＨ１，Ｈ２の表裏両面を利用することができて大変便利である。図１及び図８の例では、保持片４及び保持補強突片５Ａ，５Ｂはそれぞれ透明であるが、いずれも不透明又は半透明であっても良く、透明にするか否かは目的に応じその選択は自由である。そして、保持補強突片５Ａ，５Ｂの図１及び図８の左右幅並びに図上下幅は図示の例に限定されない。図１に示す表示用紙のホルダＨ１では吸盤６を用いてガラス板に固定可能である例を示したが、取付け孔１１ｅにフレーム支持手段として掛け紐を用いて、これを回して表示用紙のホルダＨ１，Ｈ２をホルダ取付け対象である壁などに設けたフックに吊り下げ展示しても良い。さらに、フレーム支持手段である止めピンを取付け孔１１ｅへ差込み、表示用紙のホルダＨ１，Ｈ２を壁などに固定しても良い。
表示用紙のホルダＨ１，Ｈ２において、例えばメニューのホルダとして利用する場合、必ずしも取付け孔１１ｅを設ける必要がない。保持補強突片５Ａ，５Ｂについて、フレーム１に上下それぞれ一対ずつ設けたが複数対設けても良い。
【符号の説明】
【００２１】
Ｈ１，Ｈ２            ホルダ
Ｐ                    表示用紙
Ｓ                    丸柱（ホルダ取付け対象）
１                    フレーム
１１ａ，１１ｂ        フレーム体
１１ｃ                縫い糸
１１ｄ                開口
１１ｅ                取付け孔
２                    透明窓カバー
３                    透明裏当て板
４                    保持片
５Ａ，５Ｂ            保持補強突片
６                    吸盤
７                    バンド
【図１】
0003201973.tif 000003
【図２】
0003201973.tif 000004
【図３】
0003201973.tif 000005
【図４】
0003201973.tif 000006
【図５】
0003201973.tif 000007
【図６】
0003201973.tif 000008
【図７】
0003201973.tif 000009
【図８】
0003201973.tif 000010